(57)【要約】【課題】空調制御における風量制御のための風量測定が、より正確により容易に実施できるようにする。【解決手段】給気部１２２に設けられた制気口１２３の前後の圧力差を差圧測定部１０１で測定し、測定した圧力差をもとに、風量算出部１０２が制気口１２３を通過する風量を求める。【選択図】  図１
2018054532.tif 000002
【特許請求の範囲】
【請求項１】
空調対象の部屋の給排気部に設けられた制気口の前後の圧力差を測定する差圧測定部と、
前記差圧測定部が測定した圧力差をもとに前記制気口を通過する風量を求める風量算出部と
を備えることを特徴とする風量測定装置。
【請求項２】
空調対象の部屋の給排気部とダクトとの間に設けられたチャンバーボックスの前記ダクトとの接続口の前後の圧力差を測定する差圧測定部と、
前記差圧測定部が測定した圧力差をもとに前記接続口を通過する風量を求める風量算出部と
を備えることを特徴とする風量測定装置。
【請求項３】
請求項１または２記載の風量測定装置において、
前記差圧測定部は、傾斜マノメータから構成されていることを特徴とする風量測定装置。
【請求項４】
空調対象の部屋の給排気部に設けられた制気口の前後の圧力差を測定する差圧測定ステップと、
測定した圧力差をもとに前記制気口を通過する風量を求める風量算出ステップと
を備えることを特徴とする風量測定方法。
【請求項５】
空調対象の部屋の給排気部とダクトとの間に設けられたチャンバーボックスの前記ダクトとの接続口の前後の圧力差を測定する差圧測定ステップと、
前記差圧測定部が測定した圧力差をもとに前記接続口を通過する風量を求める風量算出ステップと
を備えることを特徴とする風量測定方法。
【請求項６】
請求項４または５記載の風量測定方法において、
前記差圧測定ステップでは、傾斜マノメータを用いて圧力差を測定することを特徴とする風量測定方法。
【発明の詳細な説明】
【技術分野】
【０００１】
本発明は、建物の空調設備における風量を測定する風量測定装置および方法に関する。
【背景技術】
【０００２】
空気調和のための空調設備においては、風量を測定して制御することが重要である。このような風量の測定においては、例えば風量測定部をダクトに設けた風量調整装置の上流側に設けた風量測定部で実施されている（特許文献１参照）。また、室内機と分岐チャンバとの間の接続ダクト、および分岐チャンバに接続するバイパスダンパユニットの各々に給気風量計測手段を設け、総給気風量とバイパス風量との比率より、空調機の出力を制御する技術も提案されている（特許文献２参照）。
【０００３】
また、集風フードで天井の制気口からの吹き出し空気を集め、集風フードに連続するセンサーフード内に配置したセンサーにより風量を計測する装置も開発されている（特許文献３参照）。
【先行技術文献】
【特許文献】
【０００４】
【特許文献１】特開２０１１−１２２７９５号公報
【特許文献２】特開２０１３−１８５８０９号公報
【特許文献３】特開２００４−２５７８４２号公報
【発明の概要】
【発明が解決しようとする課題】
【０００５】
しかしながら、温度・湿度などを調整した空気を移送するダクトは、曲がりや分岐が多く、直管がほとんどない上に、ダンパなどの障害物が多い。このため、ダクトにおける風量測定では、空調対象の部屋に実際に供給される空調空気の正確な風量が計測できず、正確な制御が実施できない。また、ダンパに風量測定部を設ける場合、設置後の調整や修理などが容易ではないという問題がある。
【０００６】
これらに対し、制気口からの吹き出し空気を集めて風量を測定する技術では、空調対象の部屋に実際に供給される空調空気の風量の測定が可能となるが、常に風量測定を実施することができず、制御に対応させることができないという問題がある。
【０００７】
本発明は、以上のような問題点を解消するためになされたものであり、空調制御における風量制御のための風量測定が、より正確により容易に実施できるようにすることを目的とする。
【課題を解決するための手段】
【０００８】
本発明に係る風量測定装置は、空調対象の部屋の給排気部に設けられた制気口の前後の圧力差を測定する差圧測定部と、差圧測定部が測定した圧力差をもとに制気口を通過する風量を求める風量算出部とを備える。
【０００９】
また、本発明に係る風量測定装置は、空調対象の部屋の給排気部とダクトとの間に設けられたチャンバーボックスのダクトとの接続口の前後の圧力差を測定する差圧測定部と、差圧測定部が測定した圧力差をもとに接続口を通過する風量を求める風量算出部とを備える。
【００１０】
上記風量測定装置において、差圧測定部は、傾斜マノメータから構成されているとよい。
【００１１】
本発明に係る風量測定方法は、空調対象の部屋の給排気部に設けられた制気口の前後の圧力差を測定する差圧測定ステップと、測定した圧力差をもとに制気口を通過する風量を求める風量算出ステップとを備える。
【００１２】
また、本発明に係る風量測定方法は、空調対象の部屋の給排気部とダクトとの間に設けられたチャンバーボックスのダクトとの接続口の前後の圧力差を測定する差圧測定ステップと、差圧測定部が測定した圧力差をもとに接続口を通過する風量を求める風量算出ステップとを備える。
【００１３】
上記風量測定方法において、差圧測定ステップでは、傾斜マノメータを用いて圧力差を測定するとよい。
【発明の効果】
【００１４】
以上説明したことにより、本発明によれば、空調制御における風量制御のための風量測定が、より正確により容易に実施できるようになるという優れた効果が得られる。
【図面の簡単な説明】
【００１５】
【図１】図１は、本発明の実施の形態１における風量測定装置の構成を示す構成図である。
【図２】図２は、本発明の実施の形態２における風量測定装置の構成を示す構成図である。
【発明を実施するための形態】
【００１６】
以下、本発明の実施の形態について図を参照して説明する。
【００１７】
［実施の形態１］
はじめに、本発明の実施の形態１について、図１を用いて説明する。図１は、本発明の実施の形態１における風量測定装置の構成を示す構成図である。この風量測定装置は、差圧測定部１０１と風量算出部１０２とを備える。
【００１８】
差圧測定部１０１は、空調対象の部屋１２１の給気部（給排気部）１２２に設けられた制気口１２３の前後の圧力差を測定する。制気口１２３は、例えば、アネモスタットなどの空調用ディフューザーである。差圧測定部１０１は、例えば、傾斜管マノメータから構成されたものであればよい。傾斜管マノメータは、圧力差が小さい状態において感度が高い差圧計であり、低風量で圧力差が小さい状態における測定に好適である。
【００１９】
例えば、部屋１２１の天井裏領域１３１には、図示していない室内機に接続されているダクト１３２、ダクト１３２に接続されたチャンバーボックス１３３が配置されている。ダクト１３２で移送された空調空気は、チャンバーボックス１３３を経て、給気部１２２に設けられた制気口１２３を通過して部屋１２１に供給される。
【００２０】
例えば、第１圧力導入管１１１の第１導入口１１２を制気口１２３のチャンバーボックス１３３の側に配置し、第２圧力導入管１１３の第２導入口１１４を制気口１２３の部屋１２１側に配置する。第１導入口１１２は、例えば、制気口１２３の構造体上面に配置すればよい。また、第２導入口１１４は、制気口１２３近傍の部屋１２１の天井面に配置すればよい。第１導入口１１２より第１圧力導入管１１１を経由して検出される第１圧力と、第２導入口１１４より第２圧力導入管１１３を経由して検出される第２圧力との差圧が、差圧測定部１０１で測定（検出）される。圧力導入管は、例えば、高分子材料から構成されたチューブや、金属製の配管から構成されている。
【００２１】
風量算出部１０２は、差圧測定部１０１が測定した圧力差をもとに制気口１２３を通過する風量を求める。風量算出部１０２は、例えば、空調用コントローラである。
【００２２】
よく知られているように、オリフィスなどの絞り部の前後の圧力差を用い、流量＝ｋ（圧力差）1/2［ｋは定数］により、絞り部を通過する風量を求めることができる。発明者らの鋭意の検討の結果、制気口１２３が上記絞り部と同様の効果を発現し、制気口１２３前後の圧力差により上記同様に制気口１２３を通過する風量が求められるという知見を得るに至った。定数ｋは、用いられている制気口１２３に対応させ、他の手段で測定した風量と測定される圧力差との関係より予め求めておけばよい。
【００２３】
上述したように、実施の形態１では、差圧測定ステップで空調対象の部屋の給排気部に設けられた制気口の前後の圧力差を測定し、風量算出ステップで、測定した圧力差をもとに制気口を通過する風量を求める風量測定方法により風量を測定するようにしたところに大きな特徴がある。
【００２４】
実施の形態１によれば、制気口の前後の圧力差をもとに制気口を通過する風量を求めるようにしたので、空調対象の部屋に実際に供給される空調空気の風量が正確に求められるようになる。また、風量測定のための機器は、制気口近辺に配置すればよいので、空調設備が設置された後であっても、調整や修理などが非常に容易である。また、実施の形態１によれば、常時の風量測定が可能であり、風量の制御に対応させることが可能である。このように、実施の形態１によれば、空調制御における風量制御のための風量測定が、より正確により容易に実施できるようになる。
【００２５】
［実施の形態２］
次に、本発明の実施の形態２について、図２を用いて説明する。図２は、本発明の実施の形態２における風量測定装置の構成を示す構成図である。この風量測定装置は、差圧測定部２０１と風量算出部２０２とを備える。
【００２６】
差圧測定部２０１は、空調対象の部屋２２１の給気部（給排気部）２２２とダクト２３２との間に設けられたチャンバーボックス２３３のダクト２３２との接続口２３４の前後の圧力差を測定する。差圧測定部２０１は、例えば、傾斜管マノメータから構成されたものであればよい。傾斜管マノメータは、圧力差が小さい状態において感度が高い差圧計であり、低風量で圧力差が小さい状態における測定に好適である。
【００２７】
例えば、部屋２２１の天井裏領域２３１には、図示していない室内機に接続されているダクト２３２、ダクト２３２に接続口２３４で接続されたチャンバーボックス２３３が配置されている。ダクト２３２で移送された空調空気は、接続口２３４を通過し、チャンバーボックス２３３を経て、制気口２２３を通過して部屋２２１に供給される。なお、制気口２２３は、例えば、アネモスタットなどの空調用ディフューザーである。
【００２８】
例えば、第１圧力導入管２１１の第１導入口２１２を接続口２３４のダクト２３２の側に配置し、第２圧力導入管２１３の第２導入口２１４を接続口２３４のチャンバーボックス２３３側に配置する。例えば、第１導入口２１２は、接続口２３４近傍のダクト２３２内に配置すればよい。また、第２導入口２１４は、接続口２３４近傍のチャンバーボックス２３３内に配置すればよい。第１導入口２１２より第１圧力導入管２１１を経由して検出される第１圧力と、第２導入口２１４より第２圧力導入管２１３を経由して検出される第２圧力との差圧が、差圧測定部２０１で測定（検出）される。圧力導入管は、例えば、高分子材料から構成されたチューブや、金属製の配管から構成されている。
【００２９】
風量算出部２０２は、差圧測定部２０１が測定した圧力差をもとに接続口２３４を通過する風量を求める。風量算出部２０２は、例えば、空調用コントローラである。
【００３０】
よく知られているように、オリフィスなどの絞り部の前後の圧力差を用い、流量＝ｋ（圧力差）1/2［ｋは定数］により、絞り部を通過する風量を求めることができる。発明者らの鋭意の検討の結果、チャンバーボックス２３３のダクト２３２との接続口２３４が上記絞り部と同様の効果を発現し、接続口２３４前後の圧力差により上記同様に接続口２３４を通過する風量が求められるという知見を得るに至った。定数ｋは、接続口２３４の形状などに対応させ、他の手段で測定した風量と測定される圧力差との関係より予め求めておけばよい。
【００３１】
上述したように、実施の形態２では、測定ステップで、空調対象の部屋の給排気部とダクトとの間に設けられたチャンバーボックスのダクトとの接続口の前後の圧力差を測定し、風量算出ステップＳで、測定した圧力差をもとに接続口を通過する風量を求める風量測定方法により風量を測定するようにしたところに大きな特徴がある。
【００３２】
実施の形態２によれば、接続口の前後の圧力差をもとに接続口を通過する風量を求めるようにしたので、空調対象の部屋に実際に供給される空調空気の風量が正確に求められるようになる。また、風量測定のための機器は、チャンバーボックスの接続口近辺に配置すればよいので、空調設備が設置された後であっても、調整や修理などが非常に容易である。また、実施の形態２によれば、常時の風量測定が可能であり、風量の制御に対応させることが可能である。このように、実施の形態２によれば、空調制御における風量制御のための風量測定が、より正確により容易に実施できるようになる。
【００３３】
なお、本発明は以上に説明した実施の形態に限定されるものではなく、本発明の技術的思想内で、当分野において通常の知識を有する者により、多くの変形および組み合わせが実施可能であることは明白である。
【００３４】
例えば、上述では、部屋に対して導入される空調空気の風量を測定する場合を例に説明したが、これに限るものではない。部屋に設けられた排気部より排出される空気の風量を測定する場合についても同様である。例えば、排気部に設けられている制気口の前後の圧力差をもとに、前述同様に制気口を通過する風量を求めるようにすればよい。排気経路にチャンバーボックスが設けられている場合についても同様である。
【００３５】
また、上述では、部屋の上部天井裏にダクトなどが配置され、天井部に制気口が配置されている場合を例に説明したが、これに限るものではない。例えば、制気口が、部屋の側部、部屋の床部に設けられている場合についても同様である。
【符号の説明】
【００３６】
１０１…差圧測定部、１０２…風量算出部、１１１…第１圧力導入管、１１２…第１導入口、１１３…第２圧力導入管、１１４…第２導入口、１２１…部屋、１２２…給気部（給排気部）、１２３…制気口、１３１…天井裏領域、１３２…ダクト、１３３…チャンバーボックス、２０１…差圧測定部、２０２…風量算出部、２１１…第１圧力導入管、２１２…第１導入口、２１３…第２圧力導入管、２１４…第２導入口、２２１…部屋、２２２…給気部（給排気部）、２２３…制気口、２３１…天井裏領域、２３２…ダクト、２３３…チャンバーボックス、２３４…接続口。
【図１】
2018054532.tif 000003
【図２】
2018054532.tif 000004